(57)【要約】【課題】本発明は、機能水の吐水と水栓からの吐水とを連携させることで、水回り設備における機能水の効果の減殺を抑制することができる機能水生成システムを提供する。【解決手段】流体の流れを制御する第１の開閉弁と、前記第１の開閉弁の下流側に設けられた機能水を生成する機能水生成手段と、前記機能水生成手段の下流側に設けられた吐水具と、水回り設備に備えられた水栓に供給される流体の流れを制御する第２の開閉弁と、前記第１の開閉弁を開けて、前記機能水生成手段により生成された前記機能水を前記吐水具から吐水させる場合には、前記第２の開閉弁を閉じて前記水栓からの吐水を妨げることを実行する制御手段と、を備えたこと、を特徴とする機能水生成システムが提供される。【選択図】図１
2008291471.tif 000002
【特許請求の範囲】
【請求項１】
流体の流れを制御する第１の開閉弁と、
前記第１の開閉弁の下流側に設けられた機能水を生成する機能水生成手段と、
前記機能水生成手段の下流側に設けられた吐水具と、
水回り設備に備えられた水栓に供給される流体の流れを制御する第２の開閉弁と、
前記第１の開閉弁を開けて、前記機能水生成手段により生成された前記機能水を前記吐水具から吐水させる場合には、前記第２の開閉弁を閉じて前記水栓からの吐水を妨げることを実行する制御手段と、
を備えたこと、
を特徴とする機能水生成システム。
【請求項２】
前記制御手段は、前記第１の開閉弁を閉じる場合には、前記第２の開閉弁を開いて前記水栓からの吐水を可能とすること、を特徴とする請求項１記載の機能水生成システム。
【請求項３】
前記水栓から吐水をさせる場合には、前記第２の開閉弁が強制的に開かれ、前記第１の開閉弁が強制的に閉じられるとともに、前記機能水生成手段による機能水の生成が停止されること、を特徴とする請求項１記載の機能水生成システム。
【請求項４】
機能水を生成する機能水生成手段と、
前記機能水生成手段の下流側に設けられた吐水具と、
供給される流体の流れを前記機能水生成手段への流路、または、水回り設備に備えられた水栓への流路に択一的に切り替える三方弁と、
前記機能水生成手段と、前記三方弁と、を制御する制御手段と、
を備えたこと、
を特徴とする機能水生成システム。
【請求項５】
前記水栓から吐水をさせる場合には、前記三方弁が強制的に切り替えられて、前記供給される流体の流れが水栓への流路に導かれること、を特徴とする請求項４記載の機能水生成システム。
【発明の詳細な説明】
【技術分野】
【０００１】
本発明は、浴室、洗面所、洗髪器などの水回り設備に用いられる機能水生成システムに関する。
【背景技術】
【０００２】
浴室などの水回り設備の汚れには、人体の洗浄に使用された石鹸やシャンプーなどのかす、人体から発生した垢（タンパク質系、炭水化物系、油脂系、塩類等）などがあるが、このような汚れを除去するためには大変な労力がかかる。  
そこで、これらの汚れを除去しつつ、浴槽や洗い場におけるヌメリの発生を抑制するための防汚装置が提案されている（特許文献１を参照）。    
この特許文献１に開示されている技術では、水道水などを吐水させるための水栓とは別に殺菌効果を有する流体を吐水させるための吐水具を設けて、この吐水具から殺菌効果を有する流体を吐水させることで水回り設備を殺菌するようにしている。    
しかしながら、特許文献１に開示されている技術では、殺菌効果を有する流体の吐水と水栓からの吐水とが連携しておらず、双方の吐水が行われるなどした場合には、水回り設備における殺菌効果を著しく減殺させるおそれがあった。
【特許文献１】特開平９−２２０２７３号公報
【発明の開示】
【発明が解決しようとする課題】
【０００３】
本発明は、機能水の吐水と水栓からの吐水とを連携させることで、水回り設備における機能水の効果の減殺を抑制することができる機能水生成システムを提供する。
【課題を解決するための手段】
【０００４】
本発明の一態様によれば、流体の流れを制御する第１の開閉弁と、前記第１の開閉弁の下流側に設けられた機能水を生成する機能水生成手段と、前記機能水生成手段の下流側に設けられた吐水具と、水回り設備に備えられた水栓に供給される流体の流れを制御する第２の開閉弁と、前記第１の開閉弁を開けて、前記機能水生成手段により生成された前記機能水を前記吐水具から吐水させる場合には、前記第２の開閉弁を閉じて前記水栓からの吐水を妨げることを実行する制御手段と、を備えたこと、を特徴とする機能水生成システムが提供される。
【０００５】
本発明の他の一態様によれば、機能水を生成する機能水生成手段と、前記機能水生成手段の下流側に設けられた吐水具と、供給される流体の流れを前記機能水生成手段への流路、または、水回り設備に備えられた水栓への流路に択一的に切り替える三方弁と、前記機能水生成手段と、前記三方弁と、を制御する制御手段と、を備えたこと、を特徴とする機能水生成システムが提供される。
【発明の効果】
【０００６】
本発明によれば、機能水の吐水と水栓からの吐水とを連携させることで、水回り設備における機能水の効果の減殺を抑制することができる機能水生成システムが提供される。
【発明を実施するための最良の形態】
【０００７】
以下、図面を参照しつつ、本発明の実施の形態について説明をする。  
尚、説明の便宜上、本発明の実施の形態に係る機能水生成システムとして、殺菌水生成システムを例にとって説明をする。また、その設置場所についても浴室ユニットに適用させた場合を説明する。ただし、本発明はこれに限定されるわけではなく、例えば、殺菌効果を有さないアルカリ水を吐水して皮脂汚れを分解したり、殺菌効果を有する酸性水であっても、これを吐水して石鹸かす汚れを分解したりする場合などにも適用させることができる。また、設置場所に関しても、洗面所、洗髪器などの水回り設備に広く適用させることができる。
【０００８】
図１は、本発明の実施の形態に係る殺菌水生成システムを浴室ユニットに適用させた場合を例示するための模式斜視図である。    
また、図２は、第１の実施の形態に係る殺菌水生成システムの構成を例示するための模式図である。
【０００９】
図１に示すように、浴室ユニットの浴室１０には、殺菌水生成システム１、浴槽１１、カウンター１２、洗い場床面１３、湯水混合水栓８、シャワーユニット１８、保持具２６などが備えられている。また、この他にも図示しない鏡、給湯制御パネルなどが適宜備えられている。  
カウンター１２は、洗い場床面１３の直上であって、湯水混合水栓８よりは下方に配設されている。そして、カウンター１２の下方には、吐水具４を除く殺菌水生成システム１の本体部分が設けられている。
【００１０】
図２に示すように、殺菌水生成システム１には、通水路の上流側から順番に開閉弁１４、殺菌水生成手段１５、接続手段５、吐水具４が設けられている。そして、それぞれが配管で直列に接続され、上流側に供給された水道水などの水Ｃが通水可能となっている。
【００１１】
この場合、開閉弁１４の上流側に図示しない定流量弁や流量調整弁などを設けるようにすることが好ましい。定流量弁や流量調整弁などを設けるものとすれば、例えば、高層階の住居であったり住居地域によって元圧（水圧）が変動しやすいものとなっていても、それを調整して所定の流量を確保することができる。
【００１２】
尚、図２に例示をしたものでは、水道水などの水Ｃの配管が開閉弁１４に接続されているが、温水Ｈの配管が接続されていてもよい。そのようにすれば、温水Ｈを吐水させることができるので、有機物などの分解、剥ぎ落としが促進され、洗浄効果をより高めることができる。そのため、本明細書において「水」という時には、冷水のみならず温水をも含む場合があるものとする。
【００１３】
また、殺菌水生成システム１には、制御手段１７、操作手段３、吐水量調整手段１９、表示手段２０が設けられている。尚、吐水量調整手段１９と表示手段２０は、必ずしも必要ではなく、必要に応じて適宜設けるようにすることができる。そして、制御手段１７と、開閉弁１４、殺菌水生成手段１５、操作手段３、吐水量調整手段１９、表示手段２０とは、それぞれ電気的に接続されている。そのため、操作手段３、吐水量調整手段１９からの電気信号を制御手段１７が受信可能となっており、また、制御手段１７による開閉弁１４、殺菌水生成手段１５の制御や表示手段２０への表示が可能となっている。
【００１４】
操作手段３は、制御手段１７に制御条件を入力するためのものである。例えば、吐水の開始を入力するためのスイッチ３ａ、吐水の停止を入力するためのスイッチ３ｂ、殺菌効果を有する流体の生成の開始・停止を入力するためのスイッチ３ｃを設けることができる。ただし、例示したものに限定されるわけではなく、適宜変更、追加、削除をすることができる。例えば、吐水の開始・停止を入力するためのスイッチとして、スイッチ３ａと３ｂとを一体化することもできるし、後述する警告の解除、タイマーの設定などのスイッチなどを設けるようにすることもできる。
【００１５】
吐水量調整手段１９には、例えば、開閉弁１４の開閉度を入力するためのスライドスイッチ１９ａなどを設けるようにすることができる。そして、スライドスイッチ１９ａの位置に応じた電気信号が制御手段１７に送られ、この信号に基づいて開閉弁１４の開閉度が調整されるようにすることができる。尚、誤操作を避けるため操作者が通常触ることがない場所に吐水量調整手段１９を設けるようにすることが好ましい。
【００１６】
表示手段２０は、例えば、液晶表示装置などとすることができ、殺菌水生成システム１の運転状況や異常表示などが表示される。
【００１７】
開閉弁１４としては、例えば、電磁弁を例示することができる。そして、吐水量の調整をするために、弁の開閉度が調整可能とされているものとすることもできる。その場合、弁の開閉度は前述の吐水量調整手段１９により調整するようにすることができる。また、圧力制御をするための圧力制御手段を併せ持つようなものとしてもよい。尚、電磁弁の開閉により吐水を断続的にしたり、吐水圧の高低を切り替えて吐水圧を断続的にすることにより、洗浄効果を高めるようにすることもできる。
【００１８】
制御手段１７は、論理演算手段や記憶手段などを備え、操作手段３、吐水量調整手段１９からの情報や予め記憶されたプログラムなどに基づいて開閉弁１４、殺菌水生成手段１５の制御や表示手段２０への表示などを行う。また、後述する開閉弁２２、開閉弁２３を制御することで、湯水混合水栓８からの吐水をも制御する。
【００１９】
吐水具４には、ホース６、吐水ヘッド７が設けられており、ホース６と接続手段５とが液密になるように接続されている。そして、接続手段５と吐水ヘッド７とがホース６を介して連通するように接続され、接続手段５を介して供給された水道水などの水・温水や殺菌効果を有する流体などが吐水ヘッド７から吐水可能となっている。ホース６は、可撓性を有する管状体であり、例えば、ゴムなどの弾性体から構成されている。
【００２０】
吐水ヘッド７には、吐水形態の切替手段２１が設けられている。      
図３は、吐水形態の切替手段２１を備えた吐水ヘッド７を例示するための模式断面図である。      
図３に示すように、吐水ヘッド７には吐水形態に対応して流路７ａ、流路７ｂが設けられており、流路７ａ、流路７ｂの吐水端にはノズルプレート７ｃが備えられている。また、ノズルプレート７ｃには、流路７ａ、流路７ｂに対応した位置にノズル孔７ｄ、ノズル孔７ｅが設けられている。
【００２１】
ここで、流路７ａ、流路７ｂとノズル孔７ｄ、ノズル孔７ｅの断面寸法は吐水形態に応じて決定することができる。例えば、図３に例示をしたものでは、断面積の大きな流路７ａ・ノズル孔７ｄの側を通常のシャワー状の吐水用（水道水などの吐水用）とし、断面積の小さな流路７ｂ・ノズル孔７ｅ側をミスト状（霧状）の吐水用（殺菌効果を有する流体の吐水用）とすることができる。このように、限られた吐水ヘッド７のスペース内で殺菌効果を有する流体の吐水側の流路７ｂの断面積を小さくすれば、水道水などの吐水側の流路７ａの断面積をその分大きくすることができる。その結果、殺菌効果を有する流体の吐水量を抑えることができ、無駄になる殺菌効果を有する流体の量を抑制することができる。また、水道水などの吐水量をその分多くすることができるので、「前洗浄」などにおける洗浄効果をより高めることができる。    
切替手段２１には、円柱状の形態を呈する弁体２１ａと、弁体２１ａに設けられ供給側の流路を流路７ａまたは流路７ｂと連通させるための孔２１ｃが設けられている。また、弁体２１ａから吐水ヘッド７の外部に向けて突出する摘み２１ｂが設けられ、摘み２１ｂを操作することで弁体２１ａが図中矢印の方向に回転可能となっている。    
また、流路内には、孔２１ｃが所定の位置に来たときに、孔２１ｃの一端を塞ぐことができる図示しない止水板が設けられている。
【００２２】
尚、吐水ヘッド７に吐水形態の切り替えを表示するための表示手段を設けるようにすることもできる。
【００２３】
次に、吐水ヘッド７の作用について説明をする。      
図３（ａ）に示すように、摘み２１ｂを操作して供給側の流路と流路７ａとを孔２１ｃを介して連通させるようにすれば、図中矢印で示したような通水が行われノズル孔７ｄから例えば水道水などがシャワー状に吐水される。    
また、図３（ｂ）に示すように、摘み２１ｂを操作して供給側の流路と流路７ｂとを孔２１ｃを介して連通させるようにすれば、図中矢印で示したような通水が行われノズル孔７ｅから例えば殺菌効果を有する流体がミスト状（霧状）に吐水される。    
そして、図３（ｃ）に示すように、摘み２１ｂを操作して、図示しない止水板が設けられている位置に孔２１ｃを移動させれば、止水板により孔２１ｃの一端が塞がられるので、供給側の流路と流路７ａ・７ｂとが遮断される。その結果、図中矢印で示したように通水が遮断されてノズル孔７ｄ、ノズル孔７ｅからの吐水が停止される。
【００２４】
図４は、吐水ヘッドの他の具体例を例示するための模式断面図である。    
図４に示すように、吐水ヘッド７０には流路７０ａが設けられており、流路７０ａの吐水端にはノズルプレート７０ｂが備えられている。また、ノズルプレート７０ｂには、ノズル孔７０ｃが設けられている。そして、流路７０ａの途中には、吐水と止水の切り替えを行うための切替手段７１が設けられている。
【００２５】
切替手段７１には、円柱状の形態を呈する弁体７１ａと、弁体７１ａに設けられ供給側の流路を吐水端側（ノズルプレート７０ｂ側）の流路７０ａと連通させるための孔７１ｃが設けられている。また、弁体７１ａから吐水ヘッド７０の外部に向けて突出する摘み７１ｂが設けられ、摘み７１ｂを操作することで弁体７１ａが図中矢印の方向に回転可能となっている。      
尚、切替手段７１は必ずしも設けられている必要はなく、これを省くこともできる。その場合は、操作手段３を操作して吐水と吐水の停止をさせるようにすればよい。
【００２６】
また、流路７０ａ内には、孔７１ｃが所定の位置に来たときに、孔７１ｃの一端を塞ぐことができる止水板７２が設けられている。
【００２７】
次に、吐水ヘッド７０の作用について説明をする。      
図４（ａ）に示すように、摘み７１ｂを操作して供給側の流路と流路７０ａとを孔１ｃを介して連通させるようにすれば、図中矢印で示したような通水が行われノズル孔７０ｃから水などが吐水される。    
また、図４（ｂ）に示すように、摘み７１ｂを操作して、止水板７２が設けられている位置に孔７１ｃを移動させれば、止水板７２により孔７１ｃの一端が塞がられるので、供給側の流路と流路７０ａとが遮断される。その結果、図中矢印で示したように通水が遮断されてノズル孔７０ｃからの吐水が停止される。
【００２８】
尚、吐水ヘッドは吐水ヘッド７、７０に限定されるわけではなく、適宜変更することができる。
【００２９】
保持具２６は、浴室１０の壁面に設けられ、吐水ヘッド７などやシャワーユニット１８のヘッド部分を保持する。      
水栓としての湯水混合水栓８には、水道水などの水Ｃの配管と温水Ｈの配管とが接続されている。また、湯水混合水栓８には、接続手段９が設けられ、接続手段９にはシャワーユニット１８のホース部分が接続されている。そのため、接続手段９を介して水道水などの水Ｃや温水Ｈがシャワーユニット１８のヘッド部分から吐水可能とされている。  
湯水混合水栓８には、切替ハンドル８ｂが設けられている。そして、切替ハンドル８ｂによりカラン８ａ側と接続手段９側への通水の切り替え、止水が行えるようになっている。また、水道水などの水Ｃと温水Ｈとの混合割合の調整を行う手段８ｃも設けられている。  ここで、温水Ｈの配管は必ずしも必要ではなく、水道水などの水Ｃの配管のみが接続されている水栓であってもよい。ただし、温水Ｈの配管がされ、温水Ｈを吐水させることができれば、人体洗浄などをするのに好適である。
【００３０】
また、水Ｃの配管には開閉弁２２が、温水Ｈの配管には開閉弁２３が設けられている。開閉弁２２、開閉弁２３としては、例えば、電磁弁を例示することができる。そして、開閉弁１４のように、弁の開閉度が調整可能とされているものや圧力制御をするための圧力制御手段を併せ持つようなものとすることもできる。尚、通常は、湯水混合水栓８側からの温水Ｈと、殺菌効果を有する流体とが同じ対象に対して吐水されることがないので、開閉弁２３は必ずしも必要ではない。ただし、温水Ｈの配管にも開閉弁２３を設けるものとすれば、湯水混合水栓８側からの吐水を完全に制御することができる。また、温水Ｈが配管されていない水Ｃのみを吐水させる水栓の場合には、開閉弁２３を設ける必要はない。
【００３１】
図１に例示をしたものでは、殺菌水生成システム１をカウンター１２の下方に設けるものとしているが、浴室１０の任意の位置に配設することもできる。ただし、カウンター１２の下方に設けるものとすれば、人体との干渉の抑制や煩雑感の低減を図ることができる。この場合、殺菌水生成システム１のすべての要素がカウンター１２の下方に設けられている必要はなく、例えば、操作手段３、表示手段２０のみが設けられているようにすることもできる。
【００３２】
また、カウンター１２の下方における奥行き寸法方向の取り付け位置も適宜選択することができる。ここで、カウンター１２の突出端（前面端）から後退した位置に殺菌水生成システム１を設け、突出端から出っ張らないようにすることが好ましい。そのようにすれば、入浴時の人体洗浄の際に人体と干渉することを抑制することができ、また、煩雑感がなくなるため見た目にも優れているからである。尚、殺菌水生成システム１の取り付け位置を調整できるようにしておき、設置される浴室のカウンター１２に合わせた設定をすることもできる。
【００３３】
殺菌水生成手段１５で生成される殺菌効果を有する流体としては、例えば、殺菌性物質またはイオンを含有する水、強酸性水、弱酸性水、およびこれらの温水などを例示することができる。    
尚、殺菌性物質またはイオンを含有する水としては、例えば、遊離塩素、結合塩素、抗菌性金属（例えば、銀、銅、亜鉛等）またはそのイオン、オゾン、ペルオクソ炭酸イオン又はその塩などを含有させた水、有機塩素系消毒液、有機リン酸系消毒液、アルコール系消毒液などを例示することができる。    
ただし、これらに限定されるわけではなく、浴室などの水回り設備に吐水することができ、殺菌効果を発揮できるものであればよい。    
図５は、殺菌水生成手段１５として用いることができるオゾン水生成手段３１を例示するための模式断面図である。    
オゾン水生成手段３１に備えられている気体混入混合室３２には、気泡分散機構３３が設けられており、液体管路３４から供給される水に対して、気泡分散機構３３により気体の混入、微細化、分散、混合が同時に行われる。気泡分散機構３３には気体室３５が設けられており、気体室３５には気体導入管路３６からオゾンが供給される。液体管路３４は、水道水などの水の配管や温水の配管と接続されている。また、気体導入管路３６には図示しないオゾン供給手段が接続されている。尚、本実施の形態においては、制御手段１７により図示しない開閉弁などを制御して、オゾン水生成手段３１へのオゾンの供給を制御することになる。
【００３４】
図６は、殺菌水生成手段１５としても用いることができる創水手段４１を例示するための模式断面図である。    
創水手段４１は、水を電気分解することにより、酸性水とアルカリ性水とを生成する。この場合、酸性水は殺菌効果を有する流体として、また、アルカリ性水は前洗浄において垢などの有機物を分解除去する際に用いることができる。    
創水手段４１から導出したアルカリ性水導出管４２と酸性水導出管４３は、三方切換弁４４に接続されており、この三方切換弁４４の他の一端が、接続手段５と接続されている。すなわち、三方切換弁４４を切り替えることにより酸性水またはアルカリ性水のいずれかを接続手段５から吐水させることができ、水回り設備の殺菌と有機物の分解除去などを行うことができる。
【００３５】
創水手段４１に備えられているケーシング４５は、その内部を隔膜４６によりアルカリ性水生成室４７と酸性水生成室４８とに区画されており、各生成室４７、４８ には、それぞれステンレス鋼やカーボン等からなる電極（陰極）４９と、ステンレス、白金、酸化チタンなどからなる電極（陽極）５１とが配設されている。また、酸性水生成室４８には酸性水導出管４３が連通するように接続されており、アルカリ性水生成室４７にはアルカリ性水導出管４２が連通するように接続されている。導入管５５は、水道水などの水の配管や温水の配管と接続されている。  
電極４９、５１から導出した電線５２、５３の導出端は、電源５４と接続されており、電源５４から電極４９、５１間に電圧が印加できるようになっている。
【００３６】
そして、この電圧印加により、水が電気分解され、アルカリ性水生成室４７のＰＨ値が高くなり、アルカリ性水が生成される。一方、酸性水生成室４８内のＰＨ値は低くなり、酸性水が生成されることになる。尚、本実施の形態においては、制御手段１７により電源５４を制御して、アルカリ性水や酸性水の生成を制御することになる。また、制御手段１７により三方切換弁４４を切り替えて、酸性水またはアルカリ性水のいずれかを接続手段５から吐水させることになる。
【００３７】
殺菌性物質またはイオンを含有する水は、例えば、電気分解法を用いて生成することができる。具体的には、銀イオンを含む殺菌効果を有する流体を生成する場合においては、溶出管の内部に銀からなる一対の電極を対峙して設け、これに電源から所定の電流を流すようなものを例示することができる。また、遊離塩素を含有する水は、塩素イオンを含む水（例えば、水道水）を塩素発生用電極を用いて電気分解することにより生成することができる。
【００３８】
尚、電気分解法などによる殺菌効果を有する流体の生成に限定されるわけではなく、例えば、殺菌効果を有する流体の濃縮液や薬剤を予め生成し、これを適宜ポンプなどで投入するようなものであってもよい。電気分解法を用いる場合においては、制御手段１７により、電源のＯＮ／ＯＦＦや出力調整などの制御が行われ、予め生成された濃縮液や薬剤などを投入する場合においては、ポンプなどの投入手段の制御が行われる。
【００３９】
また、殺菌水生成手段１５を作用させず、水道水などの水のみを吐水させることもできる。水道水などの水のみを吐水させることができれば、殺菌効果を有する流体を吐水させる前に後述する「前洗浄」を行うことができ、例えば、吐水ヘッド７のノズル孔７ｄからの水滴を直接、被洗浄面全体に当てるようにして、付着した汚れを浮かせたり除去をしたりすることで、その後に行われる殺菌効果を有する流体の吐水による殺菌効果が減殺されるのを抑制することができる。  
また、前述した強酸性水、弱酸性水、や、強アルカリ水、弱アルカリ水、洗剤を含有した水などを吐水して前洗浄を行えば、垢などの有機物を効果的に除去することができ、その後に行われる殺菌効果を有する流体の吐水による殺菌効果が減殺されるのをさらに抑制することができる。    
ここで、「前洗浄」などに用いられる水道水などの水や温水、強酸性水、強アルカリ水、弱酸性水、弱アルカリ水や洗剤を含有した水などを「洗浄水」と呼ぶことにする。    
尚、強酸性水、強アルカリ水、弱酸性水、弱アルカリ水については、前述の創水手段４１により生成することができる。    
また、アルカリ水、酸性水、洗剤を含有した水などの濃縮液や薬剤を予め生成し、これを適宜ポンプなどで投入することもできる。この場合、制御手段１７によりポンプなどの投入手段の制御を行い、洗浄水の生成を制御することになる。
【００４０】
また、前述したように、吐水形態の切り替えは摘み２１ｂを操作することにより行うが、例えば、殺菌効果を有する流体などはミスト状（霧状）の吐水とし、水道水などの水はシャワー状の吐水とすることができる。尚、これに限定されるわけではなく、殺菌効果を有する流体などをシャワー状に吐水させることもできるし、水道水などの水をミスト状（霧状）に吐水させることもできる。ただし、滞留性を考慮すれば殺菌効果を有する流体はミスト状（霧状）の吐水とすることが好ましく、吐水の物理力による洗浄性を考慮すれば水道水などの水はシャワー状の吐水とすることが好ましい。
【００４１】
「前洗浄」は、殺菌効果を有する流体の吐水に先立ち行われる。  
例えば、洗い場などに石鹸かすや皮脂、垢などの有機物汚れが残っていれば、その状態で殺菌効果を有する流体を吐水しても、有機物と殺菌成分とが化学的結合をおこしその効力が減ぜられるおそれがある。そのため、洗浄水を吐水して前洗浄を行うようにすれば、有機物汚れを除去することができるので、その後に行われる殺菌効果を有する流体の吐水による殺菌効果が減殺されるのを抑制することができる。  
前洗浄は、湯水混合水栓８に接続されたシャワーユニット１８を用いて行うこともできるが、殺菌水生成システム１に接続された吐水具４を用いて行うようにすれば、前洗浄に続いて行われる殺菌効果を有する流体の吐水をも含めた一連の作業の作業性、作業効率などを大幅に向上させることができる。
【００４２】
また、操作手段３を操作して、洗浄水と殺菌効果を有する流体とを任意に切り替えることができるので、操作者の判断で状況に応じた最適な前洗浄作業をすることができる。  
また、前洗浄における吐水では、開閉弁１４の開閉により吐水を断続的にしたりすることなどにより、洗浄効果を高めることもできる。また、前洗浄における吐水において、温水Ｈを用いるものとすれば、前洗浄の効果を高めることもできる。
【００４３】
ここで、吐水具４から殺菌効果を有する流体が吐水されているときに、湯水混合水栓８のカラン８ａやシャワーユニット１８から水道水などの水Ｃや温水Ｈが吐水されるものとすれば、殺菌効果を有する流体の吐水による殺菌効果が著しく減殺されるおそれがある。  そのため、本実施の形態においては、吐水具４から殺菌効果を有する流体が吐水されているときには、開閉弁２２、開閉弁２３を閉じて湯水混合水栓８のカラン８ａやシャワーユニット１８から水道水などの水Ｃや温水Ｈが吐水されないようにしている。
【００４４】
すなわち、制御手段１７により開閉弁１４が開けられて、殺菌水生成手段１５により生成された殺菌効果を有する流体が吐水具４から吐水される場合には、開閉弁２２、２３が閉じられることにより湯水混合水栓８側からの吐水が妨げられるようになっている。
【００４５】
この場合、例えば、操作手段３のスイッチ３ｃが押されて殺菌効果を有する流体を生成する指令が制御手段１７に入力されたときに、制御手段１７により開閉弁２２、開閉弁２３が閉じられるようにすることができる。      
また、例えば、「前洗浄」のために吐水具４から洗浄水が吐水されているような場合には、開閉弁２２、開閉弁２３を閉じずに湯水混合水栓８のカラン８ａやシャワーユニット１８から水道水などの水Ｃや温水Ｈが吐水可能とすることもできる。また、このような場合であっても開閉弁２２、開閉弁２３が閉じられるようにすることもできる。      
尚、温水Ｈが配管されていない水栓の場合には、水Ｃの配管に設けられた開閉弁２２を制御することで水栓側からの吐水を制限することになる。
【００４６】
図７は、殺菌水生成システム１の作用を例示するためのフローチャートである。    
尚、説明の便宜上、浴室１０に設けられた殺菌水生成システム１の作用について説明をする。また、前洗浄は行わないものとしている。    
まず、入浴（人体洗浄）の終了により湯水混合水栓８が止水される。      
次に、殺菌水生成システム１を使用するため、図示しない電源スイッチを押して電源を入れ、操作手段３のスイッチ３ａ、３ｃを押して「吐水の開始」、「殺菌効果を有する流体の生成の開始」を入力する。
【００４７】
「吐水の開始」、「殺菌効果を有する流体の生成の開始」が入力されると、制御手段１７により開閉弁２２、２３が閉じられる。そのため、湯水混合水栓８のカラン８ａやシャワーユニット１８から水道水などの水Ｃや温水Ｈが吐水されるのが妨げられる。    
一方、制御手段１７により殺菌水生成手段１５の上流側に設けられた開閉弁１４が開かれる。      
開閉弁１４が開かれると、制御手段１７からの指令により、殺菌水生成手段１５による殺菌効果を有する流体の生成が開始され、生成された殺菌効果を有する流体は、シャワーヘッド７から吐水される。
【００４８】
この際、摘み２１ｂを操作することにより吐水形態を切り替えて、操作者の判断により最適な吐水形態での殺菌効果を有する流体の吐水を行うことができる。例えば、切替手段２１の摘み２１ｂを操作して吐水形態をミスト状（霧状）の吐水に切り替えるようにすることができる。
【００４９】
また、制御手段１７により表示手段２０に殺菌効果を有する流体の吐水中である旨が表示される。尚、ブザー音や光などで操作者に告知することもできるし、表示とブザー音などを併用することもできる。
【００５０】
殺菌効果を有する流体による浴室１０内の殺菌が終了した場合には、操作手段３のスイッチ３ｂ、３ｃを押して「吐水の停止（止水）」、「殺菌効果を有する流体の生成の停止」を入力する。
【００５１】
「吐水の停止（止水）」、「殺菌効果を有する流体の生成の停止」が入力されると、制御手段１７からの指令により殺菌効果を有する流体の生成が停止され、その後、開閉弁１４が閉じられて吐水が停止され、電源が切られて一連の運転が終了する。この場合、制御手段１７により表示手段２０に吐水の停止中（止水中）である旨が表示される。
【００５２】
一方、「吐水の停止（止水）」、「殺菌効果を有する流体の生成の停止」が入力されると、制御手段１７により開閉弁２２、２３が開かれる。そのため、湯水混合水栓８のカラン８ａやシャワーユニット１８から水道水などの水Ｃや温水Ｈが吐水可能となる。
【００５３】
すなわち、制御手段１７により開閉弁１４が閉じられる場合には、開閉弁２２、２３が開かれて湯水混合水栓８側からの吐水が可能となっている。          
このように、殺菌効果を有する流体の吐水がされない状況下においては、湯水混合水栓８のカラン８ａやシャワーユニット１８からの吐水を許容するようにすれば使い勝手がよい。
【００５４】
尚、「吐水の停止（止水）」、「殺菌効果を有する流体の生成の停止」が入力されてから、所定の時間の経過後に制御手段１７により開閉弁２２、２３が開かれるようにすることもできる。そのようにすれば、殺菌効果を有する流体の吐水の直後に、水道水などの水Ｃや温水Ｈが吐水されるのを禁止することができるので、殺菌効果の減殺を抑制することができる。
【００５５】
また、殺菌効果を有する流体の吐水に先立って、前洗浄を行うようにすることもできる。前洗浄は、操作手段３を操作して洗浄水を吐水させることにより行うことができる。尚、前述のように、前洗浄のとき（殺菌効果を有する流体が吐水されない条件のとき）は、湯水混合水栓８側からの吐水が禁止されないようにすれば、シャワーユニット１８から水道水などの水Ｃや温水Ｈを吐水させることにより前洗浄を行うことができる。
【００５６】
図８は、第２の実施の形態に係る殺菌水生成システムの構成を例示するための模式図である。      
尚、図２で説明をしたものと同様の部分には同じ符号を付し、その説明は省略する。
【００５７】
本実施の形態においても、湯水混合水栓８の温水Ｈの配管には開閉弁２３が設けられている。また、水Ｃの配管には三方弁２４が設けられ、三方弁２４の一方の流路は湯水混合水栓８と接続され、他方の流路は殺菌水生成手段１５と接続されている。すなわち、供給される流体の流れを殺菌水生成手段１５への流路、または、湯水混合水栓８への流路に択一的に切り替える三方弁が設けられている。    
尚、温水Ｈが配管されていない水Ｃのみを吐水させる水栓の場合には、開閉弁２３を設ける必要はない。    
また、開閉弁２３、三方弁２４はそれぞれ制御手段１７と電気的に接続され、制御手段１７により制御されるようになっている。
【００５８】
図９は、他の実施の形態にかかる殺菌水生成システムの作用を例示するためのフローチャートである。    
尚、説明の便宜上、浴室１０に設けられた殺菌水生成システム１の作用について説明をする。また、前洗浄は行わないものとしている。    
まず、入浴（人体洗浄）の終了により湯水混合水栓８が止水される。      
次に、殺菌水生成システム１を使用するため、図示しない電源スイッチを押して電源を入れ、操作手段３のスイッチ３ａ、３ｃを押して「吐水の開始」、「殺菌効果を有する流体の生成の開始」を入力する。
【００５９】
「吐水の開始」、「殺菌効果を有する流体の生成の開始」が入力されると、制御手段１７により開閉弁２３が閉じられる。また、三方弁２４が切り替えられて供給側（上流側）の流路と殺菌水生成手段１５側の流路とが連通される。一方、供給側（上流側）の流路と湯水混合水栓８側の流路との連通が遮断される。
【００６０】
そのため、湯水混合水栓８のカラン８ａやシャワーユニット１８から水道水などの水Ｃや温水Ｈが吐水されるのが妨げられる。一方、制御手段１７からの指令により、殺菌水生成手段１５による殺菌効果を有する流体の生成が開始され、生成された殺菌効果を有する流体は、シャワーヘッド７から吐水される。
【００６１】
この際、摘み２１ｂを操作することにより吐水形態を切り替えて、操作者の判断により最適な吐水形態での殺菌効果を有する流体の吐水を行うことができる。例えば、切替手段２１の摘み２１ｂを操作して吐水形態をミスト状（霧状）の吐水に切り替えるようにすることができる。
【００６２】
また、制御手段１７により表示手段２０に殺菌効果を有する流体の吐水中である旨が表示される。尚、ブザー音や光などで操作者に告知することもできるし、表示とブザー音などを併用することもできる。
【００６３】
殺菌効果を有する流体による浴室１０内の殺菌が終了した場合には、操作手段３のスイッチ３ｂ、３ｃを押して「吐水の停止（止水）」、「殺菌効果を有する流体の生成の停止」を入力する。
【００６４】
「吐水の停止（止水）」、「殺菌効果を有する流体の生成の停止」が入力されると、制御手段１７からの指令により殺菌効果を有する流体の生成が停止され、その後、三方弁２４が切り替えられて供給側（上流側）の流路と殺菌水生成手段１５側の流路との連通が遮断される。一方、供給側（上流側）の流路と湯水混合水栓８側の流路とが連通される。その後、電源が切られて一連の運転が終了する。この場合、制御手段１７により表示手段２０に吐水の停止中（止水中）である旨が表示される。
【００６５】
一方、「吐水の停止（止水）」、「殺菌効果を有する流体の生成の停止」が入力されると、制御手段１７により開閉弁２３が開かれる。そのため、湯水混合水栓８のカラン８ａやシャワーユニット１８から水道水などの水Ｃや温水Ｈが吐水可能となる。このように、殺菌効果を有する流体の吐水がされない状況下においては、湯水混合水栓８のカラン８ａやシャワーユニット１８からの吐水を許容するようにすれば使い勝手がよい。
【００６６】
また、殺菌効果を有する流体の吐水に先立って、前洗浄を行うようにすることもできる。前洗浄は、操作手段３を操作して洗浄水を吐水させることにより行うことができる。尚、前述のように、前洗浄のとき（殺菌効果を有する流体が吐水されない条件のとき）は、湯水混合水栓８側からの吐水が禁止されないようにすれば、シャワーユニット１８から水道水などの水Ｃや温水Ｈを吐水させることにより前洗浄を行うことができる。
【００６７】
図１０は、第３の実施の形態に係る殺菌水生成システムの構成を例示するための模式図である。      
尚、図２で説明をしたものと同様の部分には同じ符号を付し、その説明は省略する。
【００６８】
本実施の形態においては、開閉弁２２、２３を操作するための図示しない操作手段が湯水混合水栓８に設けられている。図示しない操作手段は、湯水混合水栓８の切替ハンドル８ｂの動作に連動、またはその動作や流体の流れなどを検知して開閉弁２２、２３を操作する。
【００６９】
すなわち、殺菌効果を有する流体が吐水できる条件下において、制御手段１７により開閉弁２２、２３が閉じられていても、切替ハンドル８ｂを操作してカラン８ａやシャワーユニット１８からの吐水が可能となった場合には、強制的に開閉弁２２、２３を開けられるようになっている。このように利用頻度の高い湯水混合水栓８側からの吐水を優先させるようにすれば、殺菌作業と同時に他の吐水作業をさせることもできるので便利である。例えば、殺菌効果を有する流体で洗い場床面１３を殺菌している場合であっても、カラン８ａから浴槽１１に温水Ｈなどを吐水させることができる。      
尚、湯水混合水栓８に設けられている図示しない操作手段からの出力を制御手段１７に入力し、制御手段１７により開閉弁２２、２３を制御するようにすることもできる。
また、強制的に開閉弁２２、２３を開けた場合には、開閉弁１４が強制的に閉じられるとともに、殺菌水生成手段１５による殺菌効果を有する流体の生成が停止されるようにすることもできる。
【００７０】
図１１は、第４の実施の形態に係る殺菌水生成システムの構成を例示するための模式図である。      
尚、図２、図８で説明をしたものと同様の部分には同じ符号を付し、その説明は省略する。
【００７１】
本実施の形態においては、開閉弁２３、三方弁２４を操作するための図示しない操作手段が湯水混合水栓８に設けられている。図示しない操作手段は、湯水混合水栓８の切替ハンドル８ｂの動作に連動、またはその動作や流体の流れなどを検知して開閉弁２２、２３を操作する。そして、湯水混合水栓８に設けられた図示しない操作手段により開閉弁２３、三方弁２４が強制的に操作されて、供給される流体の流れが湯水混合水栓８への流路に導かれるようになっている。    
本実施の形態においては、三方弁２４を強制的に切り替えることにより、殺菌効果を有する流体の吐水を強制的に終了させることができる。このように利用頻度の高い湯水混合水栓８側からの吐水を優先させるようにすれば、操作手段３を操作して殺菌効果を有する流体の吐水を停止させる手間を省くことができ便利である。      
尚、湯水混合水栓８に設けられている図示しない操作手段からの出力を制御手段１７に入力し、制御手段１７により開閉弁２３、三方弁２４を制御するようにすることもできる。
【００７２】
以上、本発明の実施の形態に係る機能水生成システムを殺菌効果を有する流体を生成する殺菌水生成システムを例にとって説明をしたが、殺菌効果を有する流体をも含めた機能水としては以下のものを例示することができる。
すなわち、機能水としては、例えば、銀イオン水、電解次亜塩素酸水、強酸性水、強アルカリ性水、弱酸性水、弱アルカリ性水、オゾン水、マグネシウム添加水、アスコルビン酸・亜硫酸カルシウム添加水などを例示することができる。    
これらのうち、銀イオン水、電解次亜塩素酸水、強酸性水、弱酸性水、オゾン水は殺菌作用を有する。また、強酸性水、強アルカリ水、弱酸性水、弱アルカリ水、オゾン水は、洗い場などに付着した垢などの有機物を分解除去する作用を有する。また、電解次亜塩素酸水は漂白作用を、マグネシウム添加水は皮膚のバリア作用を、アスコルビン酸・亜硫酸カルシウム添加水は脱塩素作用を有する。    
【００７３】
そのため、浴槽や洗い場などの殺菌の他にも、目的に応じた機能水を生成することで各種の用途に利用することができる。
これらの機能水を用いた場合、例えば、皮脂汚れを分解除去するためにアルカリ性水などを吐水させた場合においても、滞留時間が長いほど分解除去の効果が大きく、水栓からの吐水がされると、濃度が薄くなり、分解除去の効果が減殺されてしまう。
また、石鹸かす汚れを分解除去するために酸性水などを吐水させた場合においても、滞留時間が長いほど分解除去の効果が大きく、水栓からの吐水がされると、濃度が薄くなり、分解除去の効果が減殺されてしまう。
本発明によれば、殺菌効果を有する流体以外の機能水が吐水される場合であっても、水洗からの吐水を連携させることで、これらの機能水の効果が減殺されるのを防止することができる。
【００７４】
尚、前述したように、強酸性水、強アルカリ水、弱酸性水、弱アルカリ水については、前述の創水手段４１により生成することができる。また、アルカリ水、酸性水、マグネシウム添加水、アスコルビン酸・亜硫酸カルシウム添加水などの濃縮液や薬剤を予め生成し、これを適宜ポンプなどで投入することもできる。
その他の機能水生成システムの構成や作用は、前述の殺菌水生成システム１の構成や作用と同様のためその説明は省略する。
【００７５】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。    
例えば、殺菌水生成システム１、吐水具４などが備える各要素、浴室１０やこれに備えられる湯水混合水栓８、浴槽１１、カウンター１２、洗い場床面１３、保持具２６などの形状、寸法、材質、配置などは、例示したものに限定されるわけではなく適宜変更することができる。  
また、前述した各具体例が備える各要素は、可能な限りにおいて組み合わせることができ、これらを組み合わせたものも本発明の特徴を含む限り本発明の範囲に包含される。
【図面の簡単な説明】
【００７６】
【図１】本発明の実施の形態に係る殺菌水生成システムを浴室ユニットに適用させた場合を例示するための模式斜視図である。
【図２】第１の実施の形態に係る殺菌水生成システムの構成を例示するための模式図である。
【図３】吐水形態の切替手段を備えた吐水ヘッドを例示するための模式断面図である。
【図４】吐水ヘッドの他の具体例を例示するための模式断面図である。
【図５】殺菌水生成手段として用いることができるオゾン水生成手段を例示するための模式断面図である。
【図６】殺菌水生成手段としても用いることができる創水手段を例示するための模式断面図である。
【図７】殺菌水生成システムの作用を例示するためのフローチャートである。
【図８】第２の実施の形態に係る殺菌水生成システムの構成を例示するための模式図である。
【図９】第２の実施の形態に係る殺菌水生成システムの作用を例示するためのフローチャートである。
【図１０】第３の実施の形態に係る殺菌水生成システムの構成を例示するための模式図である。
【図１１】第４の実施の形態に係る殺菌水生成システムの構成を例示するための模式図である。
【符号の説明】
【００７７】
１  殺菌水生成システム、３  操作手段、３ａ  スイッチ、３ｂ  スイッチ、４  吐水具、５  接続手段、６  ホース、７  吐水ヘッド、７ａ  流路、７ｂ  流路、７ｃ  ノズルプレート、７ｄ  ノズル孔、７ｅ  ノズル孔、８  湯水混合水栓、１２  カウンター、１４  開閉弁、１５  殺菌水生成手段、１７  制御手段、１９  吐水量調整手段、２０  表示手段、２１  切替手段、２１ａ  弁体、２１ｂ  摘み、２１ｃ  孔、Ｃ  水、Ｈ  温水
【図１】
2008291471.tif 000003
【図２】
2008291471.tif 000004
【図３】
2008291471.tif 000005
【図４】
2008291471.tif 000006
【図５】
2008291471.tif 000007
【図６】
2008291471.tif 000008
【図７】
2008291471.tif 000009
【図８】
2008291471.tif 000010
【図９】
2008291471.tif 000011
【図１０】
2008291471.tif 000012
【図１１】
2008291471.tif 000013